(57)【要約】      （修正有）【課題】盗難防止錠とすることができる自転車用ハンドルユニット及びそれを備えた自転車を提供する。【解決手段】ハンドルステム２と、騎乗者の手に握られるハンドル部材３とからなっている自転車用ハンドルユニットにおいて、ハンドル部材３は、一端部が中空状になった略棒状のものであって、垂直する第１のロッド３１と、２の端部を有する略Ｕ字形のものであって、その一端部が第１のロッドの他端部に枢支されており、他端部が第１のロッドの中空端部内に脱着可能に挿入されている第２のロッド３２と、第１のロッドの中空端部内に収容されており、かつ、第２のロッドの他端部を中空端部内に係止した施錠位置にありながら、この係止が解除される解錠位置へ移動されたり再び施錠位置に戻らせられたりすることができる錠部材とからなり、それにより、ハンドル部材全体をハンドルステムの上端から取外して自転車のホイール上に取り付けて盗難防止錠とすることができる。【選択図】図２
0003107620.tif 000002
【実用新案登録請求の範囲】
【請求項１】
上下両端を有し、その下端が自転車のヘッドチューブと連接されるハンドルステムと、前記ハンドルステムの前記上端に支持されていて騎乗者の手に握られるハンドル部材とからなっている自転車用ハンドルユニットにおいて、
前記ハンドル部材は、
少なくとも一端部が中空状になった略棒状のものであって、前記ハンドルステムとほぼ垂直するように前記ハンドルステムの前記上端に脱着可能に設けられている第１のロッドと、
２つの端部を有する略Ｕ字形のものであって、その一端部が前記第１のロッドの他端部に枢支されており、他端部が前記第１のロッドの前記中空端部内に脱着可能に挿入されている第２のロッドと、
前記第１のロッドの前記中空端部内に収容されるとともに、前記第２のロッドの前記他端部を前記中空端部内に係止した施錠位置に位置せしめられ、この係止が解除される解錠位置へ移動せしめられたり、再び前記施錠位置に復帰せしめられたりすることができるように構成された錠部材とからなっており、
それにより、前記ハンドル部材全体を前記ハンドルステムの前記上端から取外して自転車のホイール上に取り付けて盗難防止錠とすることができることを特徴とする自転車用ハンドルユニット。
【請求項２】
前記ハンドル部材の前記第２のロッドは、前記第１のロッドとほぼ平行するように前記第１のロッドの下方に位置している長棒部と、前記長棒部の両端から上へ延出していて前記２つの端部を有する２つの延出部とからなり、
前記ハンドルステムの外周面の前記第１のロッドと前記長棒部との間に、前記長棒部と当接していて前記第２のロッドの上移を阻止するストッパーが設けられていることを特徴とする請求項１に記載の自転車用ハンドルユニット。
【請求項３】
前記第１のロッドは、中空管状であって、その略中間箇所及び前記一端部にそれぞれ通孔が形成されており、
また、前記ハンドルステムの前記上端に突柱が設けられており、該突柱及び前記第２のロッドの前記他端部は、それぞれ前記略中間箇所及び前記一端部にある通孔を経由して前記第１のロッド内に脱着可能に挿入されていることを特徴とする請求項１または２に記載の自転車用ハンドルユニット。
【請求項４】
前記錠部材が前記施錠位置にある時、前記突柱も前記第１のロッド内に係止されている状態になり、また、前記錠部材が前記解錠位置にある時、当該係止も解除されている状態になるように構成されていることを特徴とする請求項３に記載の自転車用ハンドルユニット。
【請求項５】
前記突柱及び前記第２のロッドの前記他端部に、それぞれスリットが開けてあり、
前記錠部材は、
前記第１のロッドの前記一端部内に回動可能に設けられている錠シリンダーと、
前記錠シリンダーから前記第１のロッドの前記他端部へ延長してなり、かつ前記錠シリンダーが前記施錠位置に回動される時、前記２つのスリット内に突入して前記突柱及び前記第２のロッドの前記他端部を係止し、前記解錠位置に回動される時、前記２つのスリットから離間するように構成されている止め片とからなっていることを特徴とする請求項４に記載の自転車用ハンドルユニット。
【請求項６】
前記突柱及び前記第２のロッドの前記他端部に、それぞれスリットが開けてあり、
前記錠部材は、
前記第１のロッドの前記一端部内に左右摺動可能に設けられている錠シリンダーと、
前記錠シリンダーから前記第１のロッドの前記他端部へ延長してなり、かつ前記錠シリンダーが前記施錠位置に摺動される時、前記２つのスリット内に突入して前記突柱及び前記第２のロッドの前記他端部を係止し、前記解錠位置に摺動される時、前記２つのスリットから離間するように構成されている止め片とからなっていることを特徴とする請求項４に記載の自転車用ハンドルユニット。
【請求項７】
前記止め片に、通孔が開けてあり、かつ前記施錠位置にある時、当該通孔縁が前記第２のロッドの前記他端部のスリット内に突入して該他端部を係止することを特徴とする請求項６に記載の自転車用ハンドルユニット。
【請求項８】
前記請求項１〜７のいずれかの一項に記載の自転車用ハンドルユニットを備えたことを特徴とする自転車。
【考案の詳細な説明】
【技術分野】
【０００１】
本考案は、自転車用ハンドルユニット及びそれを備えた自転車に関する。
【背景技術】
【０００２】
自転車は、小型軽量であるため、移動性が良い上、駐輪も便利であるので、通勤や通学、買い物など一般生活に最も密着した移動手段とされて普及している。ところが、移動性が良いが故に盗まれ易いので、駐輪時に、通常、自転車のホイール上に盗難防止錠を付け加えることにより、盗難に遭う可能性を低減するようにしている。
【０００３】
しかしながら、このようにすると、盗難防止錠を常に携帯しなければならず、面倒臭い上に自転車の重さを増加させてしまい、小型軽量の利点が減ってしまうという欠点があった。
【考案の開示】
【考案が解決しようとする課題】
【０００４】
したがって、上記に鑑みて、本考案の目的は、前記問題を解消することができる自転車用ハンドルユニット及びそれを備えた自転車を提供することにある。
【課題を解決するための手段】
【０００５】
上記目的を達成するために、考案者は、まず、上下両端を有し、その下端が自転車のヘッドチューブと連接されるハンドルステムと、前記ハンドルステムの前記上端に支持されていて騎乗者の手に握られるハンドル部材とからなっている自転車用ハンドルユニットにおいて、前記ハンドル部材は、少なくとも一端部が中空状になった略棒状のものであって、前記ハンドルステムとほぼ垂直するように前記ハンドルステムの前記上端に脱着可能に設けられている第１のロッドと、２つの端部を有する略Ｕ字形のものであって、その一端部が前記第１のロッドの他端部に枢支されており、他端部が前記第１のロッドの前記中空端部内に脱着可能に挿入されている第２のロッドと、前記第１のロッドの前記中空端部内に収容されており、かつ、前記第２のロッドの前記他端部を前記中空端部内に係止した施錠位置にありながら、この係止が解除される解錠位置へ移動されたり再び前記施錠位置に戻らせられたりすることができるように構成された錠部材とからなっていることを特徴とする自転車用ハンドルユニットを提供する。
【０００６】
それにより、前記ハンドル部材全体を前記ハンドルステムの前記上端から取外して自転車のホイール上に取り付けて盗難防止錠とすることができる。
【０００７】
そして、前記自転車用ハンドルユニットに基づき、考案者は、前記自転車用ハンドルユニットを備えたことを特徴とする自転車を更に提供する。
【考案の効果】
【０００８】
本考案の自転車用ハンドルユニット及びそれを備えた自転車は、前記ハンドル部材が通常のハンドルとされることができる上、盗難防止錠とされることもできるので、騎乗者は盗難防止錠を携帯する必要がなく、楽に騎乗をすることができる。
【考案を実施するための最良の形態】
【０００９】
以下、本考案の自転車用ハンドルユニット及びそれを備えた自転車の好ましい実施形態を詳しく説明する。なお、以下の説明においては、そのサイズに拘わらず、略同一の機能及び構成を有する構成要素については、同一符号を付し、重複説明は必要な場合にのみ行う。
【００１０】
第１の実施形態
図１は、本考案の自転車用ハンドルユニット及びそれを備えた自転車の第１の実施形態を示す斜視図である。図２は図１における自転車用ハンドルユニットを示す分解斜視図である。図３は図２の組立後の正面図である。
【００１１】
本考案の自転車の第１の実施形態は、図示のように、主としてヘッドチューブ９１を備えた両輪付きの自転車フレーム９と、前記ヘッドチューブ９１と連接されているハンドルユニット１とからなっている。
【００１２】
前記ハンドルユニット１は、上下両端２１，２２を有し、その下端２２が前記ヘッドチューブ９１と連接されているハンドルステム２と、前記ハンドルステム２の前記上端２１に支持されていて騎乗者の手に握られるハンドル部材３とからなっている。
【００１３】
もっと詳しく説明すると、前記ハンドルステム２の前記上端２１には、左右方向に延伸している固定板２３が設けられている。前記固定板２３の左右両端部には、それぞれ円錐台状の突柱２４，２５が設けられている。前記左側にある突柱２４には、開口が前方へ向いている横向きスリット２４１が開けてある。
【００１４】
そして、前記ハンドル部材３は、第１のロッド３１と第２のロッド３２と錠部材３３とからなっている。
【００１５】
前記第１のロッド３１は、少なくとも一端部３１１が中空状になった略棒状のものであって、その中央箇所が前記ハンドルステム２とほぼ垂直するように前記ハンドルステム２の前記上端２１に脱着可能に設けられている。
【００１６】
本実施形態においては、前記第１のロッド３１全体は中空管状を呈し、前記一端部３１１と、前記一端部３１１と相対している他端部３１２とを有している。
【００１７】
前記第１のロッド３１の略中央箇所には、前記左右２の円錐台状の突柱２４，２５と対応している左右２つの円錐台状の通孔３１３，３１４が形成されている。前記２つの通孔３１３，３１４それぞれの上下２つの開口の周りには、それぞれリング３１５，３１５が設けられている。前記左右２つの突柱２４，２５はそれぞれ前記左右２つの通孔３１３，３１４を経由して前記第１のロッド３１内に脱着可能に挿入されている。すなわち、前記第１のロッド３１は前記リング３１５，３１５を介して前記固定板２３の上方に安定的に支持されている。
【００１８】
前記第２のロッド３２は、２つの端部３２１，３２２を有する略Ｕ字形のものであり、前記第１のロッド３１とほぼ平行するように前記第１のロッド３１の下方に位置している長棒部３２３と、前記長棒部３２３の両端から上へ延出していて前記２つの端部３２１，３２２を有する２つの延出部３２４，３２５とからなっている。
【００１９】
前記第２のロッド３２の前記一端部３２２は、前記第１のロッド３１の他端部３１２に枢支されており、他端部３２１は、前記第１のロッド３１の前記一端部３１１の管壁の下面に形成された通孔３１６を経由して前記第１のロッド３１内に脱着可能に挿入されている。
【００２０】
また、前記ハンドルステム２の外周面の前記固定板２３と前記長棒部３２３との間には、前記長棒部３２３と当接しているストッパー２６が設けられている。それにより、騎乗時の前記第２のロッド３２の上方への移動を阻止することができる。
【００２１】
また、前記第２のロッド３２の前記他端部３２１には、前記横向きスリット２４１の開口方向と同じである横向きスリット３２１１が開けてある。
【００２２】
そして、前記錠部材３３は、前記第１のロッド３１の前記一端部３１１内に収容されており、騎乗時には前記第２のロッド３２の前記他端部３２１及び前記突柱２４を前記第１のロッド３１内に係止して施錠位置に位置せしめられている。そして、この係止が解除される解錠位置へ移動されたり再び前記施錠位置に戻らせられたりすることができるように構成されている。
【００２３】
もっと詳しく説明すると、前記錠部材３３は、鍵穴付き錠シリンダー３３１と、曲面を有する長尺状の止め片３３２と、円形の支持片３３３とからなっている。
【００２４】
前記錠シリンダー３３１は、前記第１のロッド３１の前記一端部３１１内の端縁のところに回動可能に設けられ、かつその一側面に、外へ露出している前記鍵穴を有している。
【００２５】
前記曲面を有する長尺状の止め片３３２は、前記錠シリンダー３３１の他側面の前方寄りの周縁箇所から、前記第１のロッド３１の前記他端部３１２へ向かって、前記第２のロッド３２の前記他端部３２１及び前記突柱２４を超えるところまで延在している。当該止め片３３２は、前記第２のロッド３２の前記他端部３２１及び前記突柱２４の前方側に位置している。
【００２６】
前記錠シリンダー３３１が回動されると、前記止め片３３２は円弧の軌跡に沿って回動されることができる。また、前記止め片３３２は、図４〜図７に示すように、前記錠シリンダー３３１が前記解錠位置（図４及び図５）から前記施錠位置（図６及び図７）に回動される時、前記２つのスリット２４１，３２１１内に同時に突入して前記突柱２４及び前記第２のロッド３２の前記他端部３２１を係止し、前記解錠位置に回動される時、前記２つのスリット２４１，３２１１から離間するように構成されている。
【００２７】
前記円形の支持片３３３は、前記止め片３３２に固定されており、前記止め片３３２の回動をスムーズに行わせることができる。
【００２８】
それにより、自転車の騎乗時に前記ハンドルユニット１が図１に示すように通常のハンドルとされ、また、図８に示すように、駐輪時に、鍵８で前記錠シリンダー３３１を前記解錠位置に回動してから、前記ハンドル部材３全体を前記ハンドルステム２の前記上端２１から取外して自転車のホイール上に取り付けることにより盗難防止錠とすることができる。
【００２９】
第２の実施形態
図９及び図１０は、本考案の自転車用ハンドルユニット及びそれを備えた自転車の第２の実施形態を示す。本実施形態の前記第１の実施形態と異なる点は、前記ハンドルステム２の前記上端２１に一つの四角柱状の突柱２７だけが設けられ、当該突柱２７に横向スリット２７１が形成されていることにある。また、前記第１のロッド３１の略中央箇所の管壁の下面には、前記突柱２７に挿入される通孔３１７が形成されている。
【００３０】
第３の実施形態
図１１及び図１２は、本考案の自転車用ハンドルユニット及びそれを備えた自転車の第３の実施形態を示す。本実施形態の前記第２の実施形態と異なる主な点は、前記ハンドルステム２の前記上端２１に設けられている突柱２８が四角錐台状であるとともに、出没可能に構成されており、かつ前記錠部材３３の前記止め片３３２がその長さが短くて前記第２のロッド３２の前記他端部３２１だけを係止することにある。
【００３１】
また、前記第１のロッド３１は前記一端部３１１だけが中空状になったので、その略中央箇所に、前記四角錐台状の突柱２８と係止するための四角錐台状の凹孔３１８が形成されている。
【００３２】
そして、前記ハンドルステム２には、更に、前記突柱２８の前記ハンドルステム２の上端２１からの出没を制御するスイッチ２９が設けられている。
【００３３】
前記ハンドル部材３が通常のハンドルとされる場合、前記スイッチ２９によって前記突柱２８を前記ハンドルステム２内から突出させて前記第１のロッド３１と係止し、盗難防止錠とされて取外しようとする場合、前記ハンドルステム２内に沈没させることができる。
【００３４】
第４の実施形態
図１３及び図１４は、本考案の自転車用ハンドルユニット及びそれを備えた自転車の第４の実施形態を示す。本実施形態が前記１〜３の実施形態と異なる主な点は、前記錠シリンダー３３１が前記第１のロッド３１の前記一端部３１１内に左右摺動可能に設けられていることにある。前記止め片３３２は前記錠シリンダー３３１の摺動に伴って左右摺動されている。
【００３５】
そして、前記第２のロッド３２の前記他端部３２１に形成されているスリット３２１１は、開口が前記錠シリンダー３３１へ向いている縦向きのものである。前記止め片３３２の一端部には、前記第２のロッド３２の前記他端部３２１と対応している通孔３３４が開けてあり、他端部には、係止片３３５が突出されている。
【００３６】
前記施錠位置にある時、図１４に示すように、当該通孔（３３４）縁が前記第２のロッド３２の前記他端部３２１のスリット３２１１内に突入して該他端部３２１を係止すると共に、前記係止片３３５が前記ハンドルステム２の上端２１にある突柱２４のスリット２４１内に挿入して前記突柱２４を係止する。
【００３７】
本考案の自転車用ハンドルユニット及びそれを備えた自転車は、通常のハンドルとされることができる上、盗難防止錠ともされることができるので、産業上の利用可能性を有する。
【００３８】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【００３９】
【図１】本考案の自転車用ハンドルユニット及びそれを備えた自転車の第１の実施形態を示す斜視図。
【図２】図１における自転車用ハンドルユニットを示す分解斜視図。
【図３】図２に示す自転車用ハンドルユニットの組立後の状態を示す正面図。
【図４】ハンドルユニットにおける錠部材が解錠位置にある時のハンドルステム上端の突柱を示す断面図。
【図５】ハンドルユニットにおける錠部材が解錠位置にある時の第２のロッドの端部を示す断面図。
【図６】ハンドルユニットにおける錠部材が施錠位置にある時のハンドルステム上端の突柱を示す断面図。
【図７】ハンドルユニットにおける錠部材が施錠位置にある時の第２のロッドの端部を示す断面図。
【図８】ハンドルユニットが盗難防止錠とされる状態を示す斜視図。
【図９】本考案の自転車用ハンドルユニットの第２の実施形態を示す分解斜視図。
【図１０】図９に示す自転車用ハンドルユニットの組立後の状態を示す正面図。
【図１１】本考案の自転車用ハンドルユニットの第３の実施形態を示す分解斜視図。
【図１２】図１１に示す自転車用ハンドルユニットの組立後の状態を示す正面図。
【図１３】本考案の自転車用ハンドルユニットの第４の実施形態が解錠位置にある状態を示す平断面図。
【図１４】図１３に示す第４の実施形態が施錠位置にある状態を示す平断面図。
【符号の説明】
【００４０】
９  フレーム
９１  ヘッドチューブ
８  鍵
１  ハンドルユニット
２  ハンドルステム
２１，２２  上下両端
２３  固定板
２４  突柱
２５  突柱
２７  突柱
２８  突柱
２４１  スリット
２７１  スリット
２６  ストッパー
２９  スイッチ
３  ハンドル部材
３１  第１のロッド
３１１  一端部
３１２  他端部
３１３  通孔
３１４  通孔
３１５  リング
３１６，３１７  通孔
３１８  凹孔
３２  第２のロッド
３２１  他端部
３２１１  スリット
３２２  一端部
３２３  長棒部
３２４  延出部
３２５  延出部
３３  錠部材
３３１  錠シリンダー
３３２  止め片
３３３  支持片
３３４  通孔
３３５  係止片
【図１】
0003107620.tif 000003
【図２】
0003107620.tif 000004
【図３】
0003107620.tif 000005
【図４】
0003107620.tif 000006
【図５】
0003107620.tif 000007
【図６】
0003107620.tif 000008
【図７】
0003107620.tif 000009
【図８】
0003107620.tif 000010
【図９】
0003107620.tif 000011
【図１０】
0003107620.tif 000012
【図１１】
0003107620.tif 000013
【図１２】
0003107620.tif 000014
【図１３】
0003107620.tif 000015
【図１４】
0003107620.tif 000016